(57)【特許請求の範囲】
【請求項１】
鋼線を多層巻きにしたコイルの外周面に複数の軸方向の帯板を周方向等間隔に重ね合せ、各帯板の両端部をコイルの両端面に同軸に配したリングへ捕縛してなる巻枠のないコイルからの鋼線繰出し装置において、絡み防止棒の基端のボス部から径外方へ延びる少くとも３本の腕に一方のリングに係合するフツクを備え、前記絡み防止棒の先端を多層巻きコイルの軸心の内空部を経て他方のリングから外方へ延出したことを特徴とする、巻枠のないコイルからの鋼線繰出し装置。
【請求項２】
絡み防止棒の基端のボス部から径外方へ延びる少くとも３本の腕に一方のリングに係合するフツクを支軸により回動可能に支持し、前記支軸に巻装したばねの力により前記フツクを前記リングに係合する、請求項１に記載の巻枠のないコイルからの鋼線繰出し装置。
【請求項３】
前後１対の底板の上に断面３角形をなす左右１対の枕木を結合し、各枕木の端部に壁板を結合してコイルの載せ台を形成し、前記壁板の上端部に通孔を設け、該通孔に絡み防止棒を移動可能に挿通支持したことを特徴とする、巻枠のないコイルからの鋼線繰出し装置。
【発明の詳細な説明】
【０００１】
【発明の属する技術分野】
本発明はＰＣ鋼線などを多層巻きにした巻枠のないコイル（リールレスコイル）からの鋼線繰出し装置、特に鋼線が多層巻きコイルの内空部で絡み合わず円滑に繰り出すことができるようにした、巻枠のないコイルからの鋼線繰出し装置に関するものである。
【０００２】
【従来の技術】
ＰＣ鋼線は橋桁などのコンクリート製品の強度を高めるために用いられる。すなわち、ＰＣ鋼線はコンクリート製品の内部に設けた多数のシース（通孔）へ挿通され、所要の引張荷重を付与した後、ＰＣ鋼線の両端部が締結部材によりコンクリート製品の端部へ固定される。上述したようなＰＣ鋼線は包装経費を節減し、かつ多層巻きコイルの荷姿を保持するために、多層巻きコイルの外周面を段ボールなど包装紙により覆つたうえ、米俵の縄のように、複数の軸方向の帯板と環状の（周方向の）帯板とが当てられ、軸方向の帯板の両端は、多層巻きコイルの両端面に同軸に配したリングへ巻き付けられる。
【０００３】
多層巻きコイルの内部は空洞になつているので、ＰＣ鋼線は多層巻きコイルの内周側からコイルの巻き軸方向へ引き出して使用される。多層巻きコイルからＰＣ鋼線を繰り出す場合に、ＰＣ鋼線が１ループ（１巻き分）ずつ繰り出されれば問題はないが、ＰＣ鋼線を高速で繰り出している内に、隣りのループだけでなく多数のループが軸方向へ倒れると、ループが多層巻きコイルの両端のリングに当たり、キンクを生じるか、連鎖的に次のループが倒れて重なる。このような状態で無理に鋼線を引き出そうとすると、多層巻きコイルの内部でループが互いに絡み合つて繰出し不可能になることがある。
【０００４】
【発明が解決しようとする課題】
本発明の課題は上述の問題に鑑み、多層巻きコイルの内部でループが軸方向へ倒れても、鋼線が円滑に引き出されるようにした、多層巻きコイルからの鋼線繰出し装置を提供することにある。
【０００５】
【課題を解決するための手段】
上記課題を解決するために、本発明の構成は鋼線を多層巻きにしたコイルの外周面に複数の軸方向の帯板を周方向等間隔に重ね合せ、各帯板の両端部を多層巻きコイルの両端面に同軸に配したリングへ捕縛してなる巻枠のないコイルからの鋼線繰出し装置において、絡み防止棒の基端のボス部から径外方へ延びる少くとも３本の腕に一方のリングに係合するフツクを備え、前記絡み防止棒の先端を多層巻きコイルの軸心の内空部を経て他方のリングから外方へ延出したことを特徴とする。
【０００６】
【発明の実施の形態】
本発明では多層巻きコイルの軸心に絡み防止棒を配設する。絡み防止棒は基端から径外方へ延びる複数の腕のフツクを、多層巻きコイルの一端部のリングに係止される。絡み防止棒の先端は多層巻きコイルの他端のリングから外方へ突出される。多層巻きコイルの内部でループが軸方向へ傾いても、絡み防止棒によりループの倒れが抑えられ、鋼線は絡み防止棒に沿つて螺旋状になつてリングから外部へ引き出される。複数のループが同時に倒れても、ループはやがてリングに当つて引き起される。
【０００７】
【実施例】
図１に示すように、多層巻きコイル２は外周面と両端面をダンボールなどの包装紙２ａにより覆われ、包装紙２ａの上に６本の軸方向の帯板３〜８が周方向等間隔に配され、帯板３〜８の両端部３ａ〜８ａは多層巻きコイル２の両端面に同軸に配したリング１５へ捕縛される。各帯板３〜８は周方向にずれないように、両端側でループ状の帯板１３，１４により捕縛される。したがつて、多層巻きコイル２の内空部に帯板はなく、鋼線４１の端末をリング１５の一方から軸方向外方へ引き出すことができる。
【０００８】
図３に示すように、本発明では多層巻きコイル２の内部で複数のループ４１ａが倒れても、鋼線４１が一方のリング１５から外部へ円滑に引き出されるように、多層巻きコイル２の内部に絡み防止棒１９が配設される。絡み防止棒１９は多層巻きコイル２の軸方向の長さよりも十分長い棒または管からなり、絡み防止棒１９の基端のボス部２１に、径外方へ延びる３本の腕１６〜１８が結合される。各腕１６，１７の先端はリング１５に係合するように、径内方へＵ字形に折り返される。つまり、図４に示すように、腕１６の先端をほぼ直角に折り曲げて絡み防止棒１９と平行にし、さらに径内方へＵ字状に折り曲げてフツク１６ａが形成される。フツク１７ａも同様に構成される。腕１８の先端のフツク１８ａはリング１５へ係止する都合から、腕１８の先端側へ開くＵ字形の溝に形成される。
【０００９】
絡み防止棒３０を多層巻きコイル２の端部のリング１５へ係止するには、まず絡み防止棒１９を一方のリング１５から多層巻きコイル２の内空部へ挿通し、絡み防止棒１９の先端を他方のリング１５から外部へ突出する。次いで、腕１８を下方へ向け、左右１対の腕１６，１７のフツク１６ａ，１７ａをリング１５へ上側から下方へ向けて係合する。同時に、腕１８のフツク１８ａをリング１５の上側から下方へ向けて係合する。
【００１０】
図４に示すように、本発明によれば鋼線４１が多層に巻きつけられ、外周面を環状の帯板１３，１４と軸方向の帯板３〜８とにより捕縛される多層巻きコイル２に対し、絡み防止棒１９が複数の腕１６〜１８を介して一方のリング１５に係止され、かつ他方のリング１５から外方へ突出されているので、鋼線４１が内側から一方のリング１５を経て引き出される時、互いに隣接する鋼線４１のループ４１ａが軸方向へ引き倒されても互いに絡み合うことはなく、鋼線４１は絡み防止棒１９に沿つて螺旋状に円滑に引き出される。例えば、約３００ m／min.の速度で鋼線４１を繰り出しても、多層巻きコイルの内部でループ４１ａが異常に暴れ出したり、互いに絡み合つたりして繰出し不可能の状態に陥ることがない。
【００１１】
図５に示す実施例は、絡み防止棒１９の基端に、腕に代わる円板２２をボス部２１と一体に結合し、円板２２に複数のフツク１６ａを支軸２３により回動可能に支持し、フツク１６ａがばねの力に抗して、円板２２の周縁部に設けた溝２４から引退し得るように構成したものである。支軸２３は円板２２の外面に１対のブラケツト２５により支持される。図示してないが、軸２３に巻き付けたばねの一端がブラケット２５に、他端がフツク１６ａにそれぞれ係止される。フツク１６ａは上述のばねの力により図示の位置へ回転付勢される。この実施例では、ばねの力に抗してフツク１６ａを図に破線で示す位置へ回動し、円板２２をリング１５に重ね合せれば、フツク１６ａがリング１５へ簡単に係止される。
【００１２】
図６に示す実施例では、前後１対の底板３２，３３の上に、断面３角形をなす左右１対の枕木３４を結合し、各枕木３４の端部に壁板３１を結合して多層巻きコイル２の載せ台を形成する。壁板３１の上端部に通孔３５を設け、該通孔３５に絡み防止棒１９を移動可能に挿通支持する。この実施例では、多層巻きコイル２を左右１対の枕木３４の上に乗せた後、通孔３５へ挿通した絡み防止棒１９を、多層巻きコイル２の軸心を経てリング１５から外方へ突出する。絡み防止棒１９の基端をボルト（図示せず）により壁板３１に固定する。多層巻きコイル２からＰＣ鋼線４１を繰り出す時、多層巻きコイル２の内部で鋼線のループ４１ａが軸方向へ倒れても、絡み防止棒１９によりループ４１ａの絡み合いが防止されるので、鋼線４１を円滑に繰り出すことができる。
【００１３】
【発明の効果】
本発明は上述のように、鋼線を多層巻きにした多層巻きコイルの外周面に複数の軸方向の帯板を周方向等間隔に重ね合せ、各帯板の両端部を多層巻きコイルの両端面に同軸に配したリングへ捕縛してなる巻枠のないコイルからの鋼線繰出し装置において、絡み防止棒の基端のボス部から径外方へ延びる少くとも３本の腕に一方のリングに係合するフツクを備え、前記絡み防止棒の先端を多層巻きコイルの軸心の内空部を経て他方のリングから外方へ延出したものであり、多層巻きコイルからＰＣ鋼線を繰り出す時、多層巻きコイルの内部で鋼線のループが軸方向へ倒れても、絡み防止棒によりループの絡み合いが防止されるので、鋼線を円滑に繰り出すことができる。
【図面の簡単な説明】
【図１】本発明が適用される多層巻きコイルの斜視図である。
【図２】本発明に係る巻枠のないコイルからの鋼線繰出し装置の側面断面図である。
【図３】同鋼線繰出し装置の正面断面図である。
【図４】同鋼線繰出し装置の斜視図である。
【図５】本発明の第２実施例に係る巻枠のないコイルからの鋼線繰出し装置の側面断面図である。
【図６】本発明の第３実施例に係る巻枠のないコイルからの鋼線繰出し装置の側面断面図
【符号の説明】
２：多層巻きコイル  〜８：帯板  ３ａ〜８ａ：端部  １３，１４：帯板  １５：リング  １６〜１８：腕  １６ａ〜１８ａ：フツク  １９：絡み防止棒  ２１：ボス部  ２２：円板  ２３：支軸  ２４：溝  ２５：ブラケット  ３１：壁板３２，３３：底板  ３４：枕木  ３５：通孔  ４１：ＰＣ鋼線  ４１ａ：ループ  ５６：フツク
【図１】
0003664881.tif 000002
【図２】
0003664881.tif 000003
【図３】
0003664881.tif 000004
【図４】
0003664881.tif 000005
【図５】
0003664881.tif 000006
【図６】
0003664881.tif 000007